(57)【要約】  無線基地局（１）は、複数の帯域保証される無線端末に無線リソースを割り当てた後に得られる各帯域保証される無線端末の伝送レートが所望伝送レートを達成できる範囲内において、各帯域保証される無線端末への無線リソースの割当量を増加し且つ各帯域保証される無線端末に設定されるModulation and Coding Scheme（MCS）をできるだけ低くするように、複数の帯域保証される無線端末の各々のための割り当て無線リソース及びMCSを決定する。これにより、例えば、帯域保証対象のユーザが所望伝送レートを達成する（所望伝送レートを達成できる確率を増加する）ことを可能とする適応変調符号化を提供できる。
2018079208.tif 000002
【特許請求の範囲】
【請求項１】
複数の無線端末と無線で通信するよう構成されたトランシーバと、
前記複数の無線端末に無線リソースを割り当てるよう構成されたコントローラと、
を備え、
前記コントローラは、複数の帯域保証される無線端末に無線リソースを割り当てた後に得られる各帯域保証される無線端末の伝送レートが所望伝送レートを達成できる範囲内において、各帯域保証される無線端末への無線リソースの割当量を増加し且つ各帯域保証される無線端末に設定されるModulation and Coding Scheme（MCS）をできるだけ低くするように、複数の帯域保証される無線端末の各々のための割り当て無線リソース及びMCSを決定する構成されている、
無線基地局。
【請求項２】
前記コントローラは、各帯域保証される無線端末の平均伝送レートまたは平均スループットの推定値が前記所望伝送レートを達成できる範囲内で、各無線端末のMCSを低く設定し、それに応じて各無線端末の無線リソースの割当量を増加するよう構成されている、
請求項１に記載の無線基地局。
【請求項３】
前記コントローラは、各無線端末のMCSを1つ低くすること及び当該MCSの低下に応じて追加で割り当てる無線リソースを増加することを含む動作を、無線端末毎に逐次的に実施するよう構成されている、
請求項１又は２に記載の無線基地局。
【請求項４】
前記コントローラは、各無線端末のMCSを1つ以上低くした場合に前記伝送レートを達成するために必要な追加の無線リソースを各無線端末に割り当て可能であることを条件として、各無線端末の無線リソースの割当量の増加を許容するよう構成されている、
請求項１〜３のいずれか１項に記載の無線基地局。
【請求項５】
前記コントローラにより行われる無線リソース割り当ては、device-to-device（D2D）通信への無線リソース割り当てを含む、
請求項１〜４のいずれか１項に記載の無線基地局。
【請求項６】
前記コントローラにより行われる無線リソース割り当ては、前記無線基地局と各無線端末との間のアップリンク又はダウンリンク通信への無線リソース割り当てを含む、
請求項１〜４のいずれか１項に記載の無線基地局。
【請求項７】
複数の帯域保証される無線端末に無線リソースを割り当てた後に得られる各帯域保証される無線端末の伝送レートが所望伝送レートを達成できる範囲内において、各帯域保証される無線端末への無線リソースの割当量を増加し且つ各帯域保証される無線端末に設定されるModulation and Coding Scheme（MCS）をできるだけ低くするように、複数の帯域保証される無線端末の各々のための割り当て無線リソース及びMCSを決定すること、
を備える、無線リソース割り当て方法。
【請求項８】
前記決定することは、各帯域保証される無線端末の平均伝送レートまたは平均スループットの推定値が前記所望伝送レートを達成できる範囲内で、各無線端末のMCSを低く設定し、それに応じて各無線端末の無線リソースの割当量を増加することを含む、
請求項７に記載の方法。
【請求項９】
前記決定することは、各無線端末のMCSを1つ低くすること及び当該MCSの低下に応じて追加で割り当てる無線リソースを増加することを含む動作を、無線端末毎に逐次的に実施することを含む、
請求項７又は８に記載の方法。
【請求項１０】
前記決定することは、各無線端末のMCSを1つ以上低くした場合に前記伝送レートを達成するために必要な追加の無線リソースを各無線端末に割り当て可能であることを条件として、各無線端末の無線リソースの割当量の増加を許容することを含む、請求項７〜９のいずれか１項に記載の方法。
【請求項１１】
前記無線リソースは、device-to-device（D2D）通信へ割り当てられる、
請求項７〜１０のいずれか１項に記載の方法。
【請求項１２】
前記無線リソースは、無線基地局と各無線端末との間のアップリンク又はダウンリンク通信へ割り当てられる、
請求項７〜１０のいずれか１項に記載の方法。
【請求項１３】
無線リソース割り当て方法をコンピュータに行わせるためのプログラムを格納した非一時的なコンピュータ可読媒体であって、
前記方法は、複数の帯域保証される無線端末に無線リソースを割り当てた後に得られる各帯域保証される無線端末の伝送レートが所望伝送レートを達成できる範囲内において、各帯域保証される無線端末への無線リソースの割当量を増加し且つ各帯域保証される無線端末に設定されるModulation and Coding Scheme（MCS）をできるだけ低くするように、複数の帯域保証される無線端末の各々のための割り当て無線リソース及びMCSを決定することを含む、
非一時的なコンピュータ可読媒体。
【発明の詳細な説明】
【技術分野】
【０００１】
本開示は、無線通信技術に関し、特に複数の無線端末への無線リソース割り当てに関する。
【背景技術】
【０００２】
商用Long Term Evolution（LTE）では、ユーザ間の公平性を保ちつつ、高い周波数利用効率が得られるようなポリシーでスケジューリングが実施される（e.g. Proportional Fairnessスケジューリング）。一方で、パブリックセーフティLTEは、通信の重要性が高いため、所望の要求条件（例えば、1Mbps）を満たすことが重要である。図１は、パブリックセーフティLTEの利用シーンの一例を示している。したがって、パブリックセーフティLTE向けに、ユーザ毎の所望伝送レートを達成する帯域保証型の通信を実現できることが好ましい。【０００３】
以下では、LTEのdevice-to-device（D2D）通信について説明する。LTEのD2D通信のための端末間のインタフェースは、サイドリンク（Sidelink）と呼ばれる。LTEのD2D送信（サイドリンク送信）は、アップリンク及びダウンリンクのために定義されたLTEフレーム構造と同じフレーム構造を使用し、周波数および時間ドメインにおいてアップリンク・リソースのサブセットを使用する。【０００４】
図２は、基地局がD2Dペア内のD2D送信端末に無線リソースを割り当てることを示している。図３は、D2D制御周期内でD2D送信のために割り当てられるリソースと、残りのアップリンク送信のためのリソースの例を示している。【０００５】
基地局は、D2D制御周期（e.g. 40ms）毎に、D2D通信用の無線リソースを時間・周波数方向でスケジューリングする。D2D制御周期は、サイドリンク制御期間又はPSCCH periodとも呼ばれる。3GPP Release 12では、サイドリンク制御期間は、40ms、60ms、70ms、80ms、120ms、140ms、160ms、 240ms、 280ms、 又は320msである。言い換えると、サイドリンク制御期間は、40サブフレーム、60サブフレーム 70サブフレーム、80サブフレーム、120サブフレーム、140サブフレーム、160サブフレーム、240サブフレーム、280サブフレーム、又は320サブフレームである。【０００６】
D2D通信では、ACK/NACKフィードバックは使用されない。その代りに、送信端末が信号を4回繰り返し送信し、受信端末がこれらを合成するTransmit Time Interval（TTI）バンドリングに類似した技術が使用される。具体的には、D2D送信端末は、あるD2D制御周期内のデータ（Physical Sidelink Shared Channel（PSSCH））送信に使用されるサブフレーム・セットに含まれる４つのサブフレーム（４つのTTI）において、同一のトランスポートブロックを送信する。【０００７】
続いて、3GPP LTEの基地局と端末（User Equipment（UE））との間のアップリンク及びダウンリンク通信で使用される適応変調符号化について説明する。基地局は、端末の通信品質（e.g. Signal to Noise Ratio（SNR）又はSignal to Interference-pulse-Noise Ratio（SINR））に応じて、ブロック誤り率（block error rate（BLER））の設定値が所定値（e.g. 10%）となるよう、変調方式及び符号化率（Modulation and Coding Scheme（MCS））を決定する。図４は、MCSインデックスと変調オーダーとの関係を表すMCSテーブルを示している。MCSインデックスは、変調方式および符号化率の組み合せを表す。適切なMCSを用いた送信は、伝送誤りを減らすことができ、したがって単位時間当たりにより多くのビットを伝送することができる。すなわち、適応変調符号化は、高い周波数利用効率の達成に寄与できる。
【発明の概要】
【発明が解決しようとする課題】
【０００８】
3GPP LTEの基地局通信（i.e. アップリンク通信及びダウンリンク通信）と同様の適応変調符号化をD2D通信にも適用することが可能であるかもしれない。なお、現在の3GPP仕様では、D2D通信の通信品質を基地局が把握できない。しかしながら、今後の標準化の進展によって、将来の3GPP仕様では、基地局がD2D通信の通信品質を把握して利用するための基地局及び端末の動作が規定されると想定される。この場合、D2D通信の適応変調符号化のためのBLERの設定値は、ACK/NACKに基づく再送を利用するアップリンク及びダウンリンク通信のそれとは異なる値とされるであろう。具体的には、再送を用いないD2D通信では、これを用いる基地局通信（アップリンク及びダウンリンク通信）と比べて、MCS決定に用いるBLER設定値を小さくする必要があると考えられる。【０００９】
しかし、MCS決定に用いられるBLER設定値を小さくしすぎると（e.g. 0.1%）、無線リソースの消費が大きくなる。その結果、他の帯域保証ユーザが所望伝送レートを達成できない可能性が増加する。これに対して、MCS決定に用いられるBLER設定値が大きいと（e.g. 1%）、各ユーザの所望伝送レートを達成できない可能性が増加する。【００１０】
したがって、本明細書に開示される実施形態が達成しようとする目的の１つは、帯域保証対象のユーザが所望伝送レートを達成する（所望伝送レートを達成できる確率を増加する）ことを可能とする適応変調符号化を提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【００１１】
第１の態様では、無線基地局は、複数の無線端末と無線で通信するよう構成されたトランシーバと、前記複数の無線端末に無線リソースを割り当てるよう構成されたコントローラとを含む。前記コントローラは、複数の帯域保証される無線端末に無線リソースを割り当てた後に得られる各帯域保証される無線端末の伝送レートが所望伝送レートを達成できる範囲内において、各帯域保証される無線端末への無線リソースの割当量を増加し且つ各帯域保証される無線端末に設定されるModulation and Coding Scheme（MCS）をできるだけ低くするように、複数の帯域保証される無線端末の各々のための割り当て無線リソース及びMCSを決定する構成されている。【００１２】
第２の態様では、無線リソース割り当て方法は、複数の帯域保証される無線端末に無線リソースを割り当てた後に得られる各帯域保証される無線端末の伝送レートが所望伝送レートを達成できる範囲内において、各帯域保証される無線端末への無線リソースの割当量を増加し且つ各帯域保証される無線端末に設定されるModulation and Coding Scheme（MCS）をできるだけ低くするように、複数の帯域保証される無線端末の各々のための割り当て無線リソース及びMCSを決定すること、を含む。【００１３】
第３の態様では、プログラムは、コンピュータに読み込まれた場合に、上述の第２の態様に係る方法をコンピュータに行わせるための命令群（ソフトウェアコード）を含む。
【発明の効果】
【００１４】
上述の態様によれば、帯域保証対象のユーザが所望伝送レートを達成する（所望伝送レートを達成できる確率を増加する）ことを可能とする適応変調符号化を提供できる。
【図面の簡単な説明】
【００１５】
【図１】パブリックセーフティLTEの利用シーンの一例を示す図である。
【図２】基地局によるD2D送信端末への無線リソース割り当てを示す図である。
【図３】D2D制御周期内でD2D送信のために割り当てられるリソースと残りのアップリンク送信のためのリソースの例を示す図である。
【図４】MCSインデックスと変調オーダーとの関係を表すMCSテーブルを示す図である。
【図５】幾つかの実施形態にかかる基地局の構成例を示すブロック図である。
【図６Ａ】複数のD2Dペアの各々の割り当て無線リソースの一例を示す図である。
【図６Ｂ】複数のD2Dペアの各々の割り当て無線リソース及びMCSの一例を示す図である。
【図７Ａ】複数のD2Dペアの各々の割り当て無線リソースの一例を示す図である。
【図７Ｂ】複数のD2Dペアの各々の割り当て無線リソース及びMCSの一例を示す図である。
【図８Ａ】リソース割り当て手順の一例を示すフローチャートである。
【図８Ｂ】リソース割り当て手順の一例を示すフローチャートである。
【発明を実施するための形態】
【００１６】
以下では、具体的な実施形態について、図面を参照しながら詳細に説明する。各図面において、同一又は対応する要素には同一の符号が付されており、説明の明確化のため、必要に応じて重複説明は省略される。
【００１７】
図５は、幾つかの実施形態に係る基地局１の構成例を示すブロック図である。基地局１は、無線トランシーバ１１及びコントローラ１２を含む。トランシーバ１１は、複数の無線端末（UEs）と無線で通信するよう構成されている。コントローラ１２は、UEsに無線リソースを割り当てるよう構成されている。コントローラ１２は、各UEから基地局１へのアップリンク（UL）送信、基地局１から各UEへのダウンリンク（DL）送信、及びD2D送信端末によるD2D送信に無線リソースを割り当てる。
【００１８】
＜第１の実施形態＞
一実施形態では、基地局１のコントローラ１２は、複数の帯域保証ユーザにリソースを割り当てた後に得られる伝送レートが所望伝送レート以上となる範囲において、各端末（各ユーザ）の無線リソースの割当量を増加し、MCSをできるだけ低く設定するよう動作する。
【００１９】
例えば、図６Ａ及び６Ｂに示された一例では、第１のD2Dペア（#1）に４Resource Blocks（RBs）が割り当てられ、第２のD2Dペア（#2）に１０RBsが割り当てられ、第３のD2Dペア（#3）に５RBsが割り当てられている。第１、第２、及び第３のD2DペアのMCSインデックスはいずれも２０である。これに対して、図７Ａ及び７Ｂに示された他の一例では、コントローラ１２は、未使用のリソース（未使用のRBs）を第１、第２、及び第３のD2Dペアの割り当てるとともに、各D2Dペアが図６Ａ及び６Ｂの例と同等のビット数を伝送できることを条件に、各D2DペアのMCSインデックスをできるだけ下げている。
【００２０】
未割当の無線リソースをできるだけ端末（ユーザ）に割当てることで、より低いMCSを用いて所望伝送レートを得ることができる。そして、低いMCS のおかげでBLERが下がることで、実際に所望伝送レートが得られる確率を向上できる。したがって、複数の帯域保証ユーザが同時に所望伝送レートを達成できる確率が向上する。
【００２１】
＜第２の実施形態＞
図８Ａ及び８Ｂは、第２の実施形態に係るリソース割り当て手順の一例を示すフローチャートである。図８Ａの第１ステップでは、コントローラ１２は、各D2D送信端末（又はD2D送信、D2Dペア）が所定のBLERを満たし、かつ各D2D送信端末の平均伝送レートが所望の伝送レートに到達するように、各D2D送信端末に無線リソースを割当てるとともにMCSを決定する。
【００２２】
ステップS11では、基地局１のコントローラ１２は、複数のユーザ（i.e. D2D送信端末またはD2Dペア）を所定の基準に従ってソートする。ユーザのソートに用いる所定の基準は、例えば、平均伝送レートが高い順、平均伝送レートが低い順、又はユーザの優先度順であってもよい。
【００２３】
ステップS12では、基地局１のコントローラ１２は、ユーザｎの現在の平均伝送レートが所定値以上であるか否かを判定する。平均伝送レートの所定値は、過去の無線リソースの割当から導出されてもよい。また、コントローラ１２は、過去に無線リソースを割り当てた際に用いたBLER設定値を用いて平均スループットの推定値を生成し、これを平均伝送レートの代わりに用いてもよい。
【００２４】
ステップS13では、基地局１のコントローラ１２は、ユーザｎのD2D送信が所定のBLERを満たし、かつその平均伝送レートが所望の伝送レートに到達するように、ユーザｎに無線リソースを割当てるとともにMCS（e.g. MCSインデックス）を決定する。なお、所定のBLERは、第１ステップで用いられるBLERの初期値である。所定のBLERは、例えば、10%、1%、又は0.1%であってもよい。
【００２５】
図８Ｂの第２ステップでは、基地局１のコントローラ１２は、複数のユーザの伝送レートが所望の伝送レートを満足することを条件に、各ユーザの無線リソースの割当量を増加し、各ユーザのMCSをできるだけ低く設定する。
【００２６】
ステップS21では、基地局１のコントローラ１２は、複数のユーザ（i.e. D2D送信端末またはD2Dペア）を所定の基準に従ってソートする。ユーザのソートに用いる所定の基準は、例えば、平均伝送レートが高い順、平均伝送レートが低い順、又はユーザの優先度順であってもよい。ステップS21の所定の基準は、ステップS11のそれと異なってもよい。
【００２７】
ステップS22では、基地局１のコントローラ１２は、ユーザｎ’に割り当て可能な余りのリソースがあるか否かを判定する。この判定方法の１つの例は、ステップS13で割り当てられたリソースを拡大できる範囲に余りのリソースがあるかを判定することである。例えばシングルキャリア周波数分割多重（Single Carrier FDMA（Frequency Division Multiple Access）、SC-FDMA）がD2D通信に用いられる場合、各ユーザに割り当てられる周波数方向のRBsは連続していなければならない。一方で、ユーザに割り当てられる時間方向のリソースは、連続である必要はない。この判定方法の他の例は、ユーザｎ’以外の他のユーザに対するステップS13でのリソース割当を前提として、ユーザｎ’に対するステップS13でのリソース割当よりも多くのビット数を送信できるリソース割り当てがユーザｎ’に可能かどうかをサーチする方法である。
【００２８】
ステップS23では、基地局１のコントローラ１２は、ユーザｎ’のMCS（e.g. MCSインデックス）を１つ下げた場合に、所望の伝送レートを達成するために必要な追加の割り当てリソースを算出し、追加リソースをユーザｎ’に割り当てる。MCSを１つずつ下げることで、複数のユーザのそれぞれのMCSを同程度だけ下げることができる。これにより、複数のユーザのそれぞれのBLERを同程度だけ減らすことができる。なお、ステップS23では、MCS（e.g. MCSインデックス）がm個（mは２以上）ずつ下げられてもよい。ユーザ毎にMCSの減少ステップの大きさ（i.e. mの値）が変更されてもよい。
【００２９】
ステップS24では、基地局１のコントローラ１２は、更なる余りのリソースがあるか否かを判定する。基地局のコントローラは、まだ余りリソースがある場合に、第２ステップの動作を繰り返す。基地局１のコントローラ１２は、全てのユーザのリソース割当に変化がない場合（i.e. 余りリソースがない場合）、図８Ａ及び８Ｂの処理を終了する。
【００３０】
＜第３の実施形態＞
複数のD2D送信の間での無線リソースの空間再利用が許容されてもよい。例えば、図８Ａの第１ステップでは、基地局１のコントローラ１２は、複数のユーザに異なる無線リソースを割り当ててもよい。これに対して、図８Ｂの第２ステップでは、複数のユーザへの無線リソースの重複割り当てが許可されてもよい。例えば、第２ステップでは、基地局１のコントローラ１２は、複数のユーザへの無線リソースの重複割り当てを許可し、第１ステップでいずれかのユーザに割り当て済みのリソースを他のユーザに再割当て（重複割り当て）してもよい。複数のユーザ（i.e. 複数のD2Dペア）への無線リソースの重複割り当ては、これら複数のD2Dペア間での干渉が小さいと判断される場合に行われることができる。基地局１のコントローラ１２は、複数のD2Dペア間での干渉が所定レベルより小さい場合に、これら複数のD2Dペアに同一の無線リソースを重複して割り当ててもよい。
【００３１】
<その他の実施形態＞
上述の実施形態で説明されたリソース割当は、基地局と端末との間のアップリンク通信及びダウンリンク通信に対するリソース割当に適用されてもよい。
【００３２】
上述の実施形態で説明されたコントローラ１２の処理は、Application Specific Integrated Circuit（ASIC）を含む半導体処理装置を用いて実現されてもよい。また、これらの処理は、少なくとも１つのプロセッサ（e.g. マイクロプロセッサ、Central Processing Unit（CPU）、又はMicro Processing Unit（MPU））を含むコンピュータにプログラムを実行させることによって実現されてもよい。具体的には、１又は複数のプログラムをコンピュータに供給すればよい。当該プログラムは、コンピュータに読み込まれた場合に、上述の無線リソース割り当てのためのアルゴリズムをコンピュータに行わせるための命令群（ソフトウェアコード）を含む。
【００３３】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００３４】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００３５】
例えば、上記の実施形態の一部又は全部は、以下の付記のようにも記載され得るが、以下には限られない。
【００３６】
（付記１）
無線端末からの帯域保証型通信の接続要求を受け付ける無線基地局であって、
帯域保証対象の無線端末が帯域保証対象でない無線端末よりも低い変調方式・符号化率（MCS）を用いるように無線リソース割当を行うよう構成された無線基地局。
【００３７】
（付記２）
帯域保証対象の各無線端末の平均伝送レートまたは平均スループットの推定値が所望伝送レートを達成できる範囲で、無線端末毎に用いるMCSを低く設定し、それに応じて無線リソースの割当量を増加するよう構成されている、付記１の記載の無線基地局。
【００３８】
（付記３）
前記MCSの設定は、MCSを1つ低く設定し、それに応じて追加で割り当てる無線リソースを増加する動作をユーザ毎に逐次的に実施することにより行われる、付記２に記載の無線基地局。
【００３９】
（付記４）
前記無線リソースの割当量の増加は、MCSを1つ以上低くするために追加で必要な無線リソース数以上の割当が可能な場合にのみ許容される、付記２又は３に記載の無線基地局。
【００４０】
（付記５）
前記無線リソース割当は、D2D通信への無線リソース割当を含む、付記１から４のいずれか１項に記載の無線基地局。
【００４１】
（付記６）
前記無線リソース割当は、前記無線基地局と各端末との間のアップリンク又はダウンリンク通信への無線リソース割当を含む、付記１から４のいずれか１項に記載の無線基地局。
【００４２】
（付記Ｂ１）
複数の無線端末と無線で通信するよう構成されたトランシーバと、
前記複数の無線端末に無線リソースを割り当てるよう構成されたコントローラと、
を備え、
前記コントローラは、複数の帯域保証される無線端末に無線リソースを割り当てた後に得られる各帯域保証される無線端末の伝送レートが所望伝送レートを達成できる範囲内において、各帯域保証される無線端末への無線リソースの割当量を増加し且つ各帯域保証される無線端末に設定されるModulation and Coding Scheme（MCS）をできるだけ低くするように、複数の帯域保証される無線端末の各々のための割り当て無線リソース及びMCSを決定する構成されている、
無線基地局。
【００４３】
（付記Ｂ２）
前記コントローラは、各帯域保証される無線端末の平均伝送レートまたは平均スループットの推定値が前記所望伝送レートを達成できる範囲内で、各無線端末のMCSを低く設定し、それに応じて各無線端末の無線リソースの割当量を増加するよう構成されている、
付記Ｂ１に記載の無線基地局。
【００４４】
（付記Ｂ３）
前記コントローラは、各無線端末のMCSを1つ低くすること及び当該MCSの低下に応じて追加で割り当てる無線リソースを増加することを含む動作を、無線端末毎に逐次的に実施するよう構成されている、
付記Ｂ１又はＢ２に記載の無線基地局。
【００４５】
（付記Ｂ４）
前記コントローラは、各無線端末のMCSを1つ以上低くした場合に前記伝送レートを達成するために必要な追加の無線リソースを各無線端末に割り当て可能であることを条件として、各無線端末の無線リソースの割当量の増加を許容するよう構成されている、
付記Ｂ１〜Ｂ３のいずれか１項に記載の無線基地局。
【００４６】
（付記Ｂ５）
前記コントローラにより行われる無線リソース割り当ては、device-to-device（D2D）通信への無線リソース割り当てを含む、
付記Ｂ１〜Ｂ４のいずれか１項に記載の無線基地局。
【００４７】
（付記Ｂ６）
前記コントローラにより行われる無線リソース割り当ては、前記無線基地局と各無線端末との間のアップリンク又はダウンリンク通信への無線リソース割り当てを含む、
付記Ｂ１〜Ｂ４のいずれか１項に記載の無線基地局。
【００４８】
（付記Ｂ７）
複数の帯域保証される無線端末に無線リソースを割り当てた後に得られる各帯域保証される無線端末の伝送レートが所望伝送レートを達成できる範囲内において、各帯域保証される無線端末への無線リソースの割当量を増加し且つ各帯域保証される無線端末に設定されるModulation and Coding Scheme（MCS）をできるだけ低くするように、複数の帯域保証される無線端末の各々のための割り当て無線リソース及びMCSを決定すること、
を備える、無線リソース割り当て方法。
【００４９】
（付記Ｂ８）
前記決定することは、各帯域保証される無線端末の平均伝送レートまたは平均スループットの推定値が前記所望伝送レートを達成できる範囲内で、各無線端末のMCSを低く設定し、それに応じて各無線端末の無線リソースの割当量を増加することを含む、
付記Ｂ７に記載の方法。
【００５０】
（付記Ｂ９）
前記決定することは、各無線端末のMCSを1つ低くすること及び当該MCSの低下に応じて追加で割り当てる無線リソースを増加することを含む動作を、無線端末毎に逐次的に実施することを含む、
付記Ｂ７又はＢ８に記載の方法。
【００５１】
（付記Ｂ１０）
前記決定することは、各無線端末のMCSを1つ以上低くした場合に前記伝送レートを達成するために必要な追加の無線リソースを各無線端末に割り当て可能であることを条件として、各無線端末の無線リソースの割当量の増加を許容することを含む、
付記Ｂ７〜Ｂ９のいずれか１項に記載の方法。
【００５２】
（付記Ｂ１１）
前記無線リソースは、device-to-device（D2D）通信へ割り当てられる、
付記Ｂ７〜Ｂ１０のいずれか１項に記載の方法。
【００５３】
（付記Ｂ１２）
前記無線リソースは、無線基地局と各無線端末との間のアップリンク又はダウンリンク通信へ割り当てられる、
付記Ｂ７〜１０のいずれか１項に記載の方法。
【００５４】
（付記Ｂ１３）
無線リソース割り当て方法をコンピュータに行わせるためのプログラムを格納した非一時的なコンピュータ可読媒体であって、
前記方法は、複数の帯域保証される無線端末に無線リソースを割り当てた後に得られる各帯域保証される無線端末の伝送レートが所望伝送レートを達成できる範囲内において、各帯域保証される無線端末への無線リソースの割当量を増加し且つ各帯域保証される無線端末に設定されるModulation and Coding Scheme（MCS）をできるだけ低くするように、複数の帯域保証される無線端末の各々のための割り当て無線リソース及びMCSを決定することを含む、
非一時的なコンピュータ可読媒体。
【００５５】
この出願は、２０１６年１０月２６日に出願された米国仮出願 ６２／４１２９６１号を基礎とする優先権を主張し、その開示の全てをここに取り込む。
【符号の説明】
【００５６】
１  基地局
１１  無線トランシーバ
１２  コントローラ
【図１】
2018079208.tif 000003
【図２】
2018079208.tif 000004
【図３】
2018079208.tif 000005
【図４】
2018079208.tif 000006
【図５】
2018079208.tif 000007
【図６Ａ】
2018079208.tif 000008
【図６Ｂ】
2018079208.tif 000009
【図７Ａ】
2018079208.tif 000010
【図７Ｂ】
2018079208.tif 000011
【図８Ａ】
2018079208.tif 000012
【図８Ｂ】
2018079208.tif 000013
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
複数の無線端末と無線で通信するよう構成されたトランシーバと、
前記複数の無線端末に無線リソースを割り当てるよう構成されたコントローラと、
を備え、
前記コントローラは、複数の帯域保証される無線端末に無線リソースを割り当てた後に得られる各帯域保証される無線端末の伝送レートが所望伝送レートを達成できる範囲内において、各帯域保証される無線端末への無線リソースの割当量を増加し且つ各帯域保証される無線端末に設定されるModulation and Coding Scheme（MCS）をできるだけ低くするように、複数の帯域保証される無線端末の各々のための割り当て無線リソース及びMCSを決定する構成されている、
無線基地局。
【請求項２】
前記コントローラは、各帯域保証される無線端末の平均伝送レートまたは平均スループットの推定値が前記所望伝送レートを達成できる範囲内で、各無線端末のMCSを低く設定し、それに応じて各無線端末の無線リソースの割当量を増加するよう構成されている、
請求項１に記載の無線基地局。
【請求項３】
前記コントローラは、各無線端末のMCSを1つ低くすること及び当該MCSの低下に応じて追加で割り当てる無線リソースを増加することを含む動作を、無線端末毎に逐次的に実施するよう構成されている、
請求項１又は２に記載の無線基地局。
【請求項４】
前記コントローラは、各無線端末のMCSを1つ以上低くした場合に前記伝送レートを達成するために必要な追加の無線リソースを各無線端末に割り当て可能であることを条件として、各無線端末の無線リソースの割当量の増加を許容するよう構成されている、
請求項１〜３のいずれか１項に記載の無線基地局。
【請求項５】
前記コントローラにより行われる無線リソース割り当ては、device-to-device（D2D）通信への無線リソース割り当てを含む、
請求項１〜４のいずれか１項に記載の無線基地局。
【請求項６】
前記コントローラにより行われる無線リソース割り当ては、前記無線基地局と各無線端末との間のアップリンク又はダウンリンク通信への無線リソース割り当てを含む、
請求項１〜４のいずれか１項に記載の無線基地局。
【請求項７】
複数の帯域保証される無線端末に無線リソースを割り当てた後に得られる各帯域保証される無線端末の伝送レートが所望伝送レートを達成できる範囲内において、各帯域保証される無線端末への無線リソースの割当量を増加し且つ各帯域保証される無線端末に設定されるModulation and Coding Scheme（MCS）をできるだけ低くするように、複数の帯域保証される無線端末の各々のための割り当て無線リソース及びMCSを決定すること、
を備える、無線リソース割り当て方法。
【請求項８】
前記決定することは、各帯域保証される無線端末の平均伝送レートまたは平均スループットの推定値が前記所望伝送レートを達成できる範囲内で、各無線端末のMCSを低く設定し、それに応じて各無線端末の無線リソースの割当量を増加することを含む、
請求項７に記載の方法。
【請求項９】
前記決定することは、各無線端末のMCSを1つ低くすること及び当該MCSの低下に応じて追加で割り当てる無線リソースを増加することを含む動作を、無線端末毎に逐次的に実施することを含む、
請求項７又は８に記載の方法。
【請求項１０】
無線リソース割り当て方法をコンピュータに行わせるためのプログラムであって、
前記方法は、複数の帯域保証される無線端末に無線リソースを割り当てた後に得られる各帯域保証される無線端末の伝送レートが所望伝送レートを達成できる範囲内において、各帯域保証される無線端末への無線リソースの割当量を増加し且つ各帯域保証される無線端末に設定されるModulation and Coding Scheme（MCS）をできるだけ低くするように、複数の帯域保証される無線端末の各々のための割り当て無線リソース及びMCSを決定することを含む、
プログラム。
【国際調査報告】
2018079208.tif 000014
2018079208.tif 000015
2018079208.tif 000016
2018079208.tif 000017